(57)【要約】【課題】  照明手段のケース部材への組み込みを短時間で、かつ確実に行うことができ、しかも製造原価の低減を期すことのできる照明付き巻尺を提供する。【解決手段】  ケース９内に、電池収容部４と発光体装着部３を有するホルダ２と、このホルダに取り付けた電池、発光体３ａ、照明スイッチ５とよりなる照明ユニット１を備え、前記発光体とスイッチとがケースの外側に臨むように構成し、また前記ケース９内に、軸１０まわりに回転可能に設けた回転ドラム１２と、この回転ドラムまわりに捲回された目盛を有する測長用テープ１３と、同テープをケース内に巻き取る方向に前記回転ドラムを前記軸まわりに付勢するコイルばね１４とを備え、かつ前記照明ユニット２を前記軸１０の先端側に設けた。【選択図】  図１
2007298353.tif 000002
【特許請求の範囲】
【請求項１】
ケース内に、電池収容部と発光体装着部を有するホルダと、このホルダに取り付けた電池、発光体、照明スイッチとよりなる照明ユニットを備え、前記発光体とスイッチとがケースの外側に臨むように構成してなる照明付き巻尺。
【請求項２】
前記ケース内に、軸まわりに回転可能に設けた回転ドラムと、この回転ドラムまわりに捲回された目盛を有する測長用テープと、同テープをケース内に巻き取る方向に前記回転ドラムを前記軸まわりに付勢するコイルばねとを備え、かつ前記照明ユニットを前記軸の先端側に設けてなる請求項１に記載の照明付き巻尺。
【請求項３】
前記照明ユニットのホルダにおける略中央部に、前記軸の先端と嵌合せしめる係合部を設けて照明ユニットのケース内における位置決めを行うことができるように構成してなる請求項２に記載の照明付き巻尺。
【請求項４】
前記ケースを対向する２つのケース部材で構成し、一方のケース部材の適所に立設した雌ねじポストに対し、他方のケース部材に設けた孔を通してねじ止めできるように構成し、前記雌ねじポストに、前記照明ユニットの縁部に形成した切欠きまたは孔よりなる係合部を係合せしめて照明ユニットのケース内における位置決めを行うことができるように構成してなる請求項２または３に記載の照明付き巻尺。
【請求項５】
前記照明スイッチを、通常はオフであるが押圧するとオンとなり、押圧を解除するとオフ側に自動復帰するように構成してなる請求項１乃至４に記載の照明付き巻尺。
【請求項６】
前記発光体を、発光ダイオードで構成してなる請求項１乃至４に記載の照明付き巻尺。
【請求項７】
前記電池を、ボタン電池で構成してなる請求項１乃至４に記載の照明付き巻尺。
【発明の詳細な説明】
【技術分野】
【０００１】
本発明は、照明装置をケース内に備える照明付き巻尺に関し、より詳しくは、照明装置を巻尺のケース内へ組み込む際、その組み込みを短時間で、かつ確実に定位置に組み込むことができる照明付き巻尺に関する。
【背景技術】
【０００２】
従来から照明装置を内部に備える巻尺には各種のものがあり（例えば、特許文献１、２参照）、照明装置の構成部材となる電池収容部や電源スイッチ取付部は、ケース内の前壁部分や天壁部分また後壁部分に配置されているのが一般的である。
【０００３】
前記電池収容部や電源スイッチ取付部は、巻尺のケース部材に直接成型して設けるのが普通であり、したがってケース部材の成型用金型にはこの電池収容部や電源スイッチ取付部、さらには照明用発光体の取付部が形成されている。
【０００４】
そして、成型の際に予め取付部が形成されたケース部材の所定位置に、巻尺側の構成部材となる回転ドラムや、照明装置の構成部材となる電池、電源スイッチ、照明用の発光体、そして電気回路の導電部材などが組み込まれて照明付の巻尺が完成する。
【０００５】
【特許文献１】特開２００５−１９５６１１号公報（第９頁、第２図）
【特許文献２】特開平１１−２３７２０１号公報（第４頁、第１図）
【発明の開示】
【発明が解決しようとする課題】
【０００６】
照明付きの巻尺は、照明装置によってテープ面の目盛りを照明できるので、目盛りの判読が容易であり、暗所や夜間作業が多い使用者にとっては非常に便利な巻尺なのであるが、反面、以下のような問題がある。
【０００７】
従来の照明付き巻尺は、その組み立て工程において巻尺の本体となるケース部材に巻尺そのものの構成部材と照明装置の構成部材を同時進行で組み込まなければならないので、通常の巻尺の組み立てラインとは手順の異なる複雑な工程としなければならず、組立工数が大であり、この工数増大にともなう製造コストが嵩む。
【０００８】
また、上述のように照明装置の構成部材と巻尺そのものの構成部材の両方を同時に組み込みながら組立作業を進めており、すなわち巻尺そのものの構成部材を数点組み込んでから照明装置の構成部材を数点組み込み、さらに巻尺の構成部材を数点組み込むというような煩雑な組立作業となるため、組立作業における組立ミスの発生率は、照明装置を装備していない通常形態の巻尺の組立ミスの発生率と比して格段と高く、製品の歩留まりが悪い。
【０００９】
さらに、ケース部材を成型する金型が、巻尺そのものの構成部材を装着するための通常の金型構成に加えて、照明装置の構成部材を装着するための電池収容部や電源スイッチ取付部そして照明用発光体の取付部の各収容、取付部分が追加された非常に複雑な金型構成となるため、金型の製作費が嵩むという問題もある。
【００１０】
上述のように、従来の照明付き巻尺は通常の測定機能だけを備える巻尺と比して、格段に製造原価の嵩む高いものであった。
【００１１】
本発明は、照明装置のケース部材への組み込みを短時間で、かつ確実に行うことができ、しかも製造原価の低減を期すことのできる照明付き巻尺を提供できるようにした。
【課題を解決するための手段】
【００１２】
上述した課題を解決するために、本発明に係る照明付き巻尺は、ケース内に、電池収容部と発光体装着部を有するホルダと、このホルダに取り付けた電池、発光体、照明スイッチとよりなる照明ユニットを備え、前記発光体とスイッチとがケースの外側に臨むように構成した構成のものとしてある。
【００１３】
また前記ケース内に、軸まわりに回転可能に設けた回転ドラムと、この回転ドラムまわりに捲回された目盛を有する測長用テープと、同テープをケース内に巻き取る方向に前記回転ドラムを前記軸まわりに付勢するコイルばねとを備え、かつ前記照明ユニットを前記軸の先端側に設けた構成のものとしてある。
【００１４】
さらに、前記照明ユニットにおけるホルダの略中央部に、前記軸の先端と嵌合せしめる係合部を設けて照明ユニットのケース内における位置決めを行うことができるように構成したものとしてある。
【００１５】
また、前記ケースを対向する２つのケース部材で構成し、一方のケース部材の適所に立設した雌ねじポストに対し、他方のケース部材に設けた孔を通してねじ止めできるように構成し、前記雌ねじポストに、前記照明ユニットの縁部に形成した切欠きまたは孔よりなる係合部を係合せしめて照明ユニットのケース内における位置決めを行うことができるように構成したものとしてある。
【００１６】
さらに前記照明スイッチを、通常はオフであるが押圧するとオンとなり、押圧を解除するとオフ側に自動復帰するように構成し、前記発光体を、発光ダイオードで構成し、前記電池を、ボタン電池で構成したものとしてある。
【発明の効果】
【００１７】
本発明の照明付き巻尺によれば、照明手段をユニット化し、このユニットを予め組み立てておくことができるように構成してあるので、従来のように巻尺そのものの構成部材の組立工程と照明装置の組立工程とが入り混じるような煩雑さが解消され、巻尺の主要部品をケース内に組み込んだ状態で、別工程により組み立てた照明ユニットをケース内の所定の位置に装着すれば容易かつ正確に照明手段をケース内に組み込むことができる。
【００１８】
また、回転ドラムを支持する軸の先端に、ホルダの孔を係合せしめるように構成してあるものや、ケース部材どうしを固定するための雌ねじポストにホルダの切欠きや孔を係合せしめるものでは、照明ユニット装置をケース部材に組み込む際に照明ユニットのケース内における位置決めが確実かつ簡単に行われ、しかも照明ユニットの組み込み後における巻尺部材の組み付け作業も容易かつスムースに進めることができ、組み立てミスの発生率も低減され、製品の歩留まりが向上する。
【００１９】
さらに、ケース部材を成型する金型においても、照明ユニットを装着すべき最低限の構成を付加すれば事が足りるので、ケース部材を成型する金型の形状も複雑にならず、したがって照明装置を持たない通常の巻尺の金型製造費と殆ど変わることなく、金型を安価に製造することができる。
また、照明ユニットに用いるＬＥＤ等の発光体や電池、スイッチなどの照明手段の構成部材を変更する場合にも巻尺そのものの構成部材に形状、材質等の変更を加えることなく、照明ユニットの部材だけを変更すれば事が足り、小ロット多品種や設計変更にも対応し易いという実用的メリットもある。
【発明を実施するための最良の形態】
【００２０】
以下、本発明に係る照明付き巻尺の実施例を添付図面に示す具体例に基づいて説明する。
図１は、本発明に係る照明付き巻尺の分解斜視図（電池の図示は省略）であり、照明ユニット１は、同ユニット専用の金型で樹脂素材から成型したホルダ２を備え、このホルダ２はＬＥＤ（発光ダイオード）装着部３および電池収容部４を一体に形成してある。
【００２１】
前記ホルダ２のＬＥＤ装着部３には発光体たるＬＥＤ３ａを取り付けてあり、このＬＥＤ３ａの一方のリード３ｂを照明スイッチ５に接続してあり、他方のリード３ｃは電池収容部内に臨ませてある。
なお、照明用に用いるＬＥＤ３ａは普及タイプのボタン電池で充分な光量の得られる高輝度タイプのものを採用するのが好適であり、発光色は所望により適宜選定すればよい。
【００２２】
また前記照明スイッチ５は、図３に示されるようにホルダ２に対してフローティング状態で設けてあって、オン／オフ用の押ボタン５ａと、同ボタン内に設けたスイッチ本体５ｂを備えていて、このスイッチ本体５ｂは、通常はオフであるが押ボタン５ａが押圧されると押圧されている間だけオンとなるノーマリーオープンタイプのものとしてある。
【００２３】
具体的には、例えばスイッチ本体５の下方に設けた導電性の突起５ｃが例えばスイッチ本体内部に設けた圧縮ばねによって下方すなわち突出する方向に付勢されていて、このばねの弾発力に抗して前記ボタンが押圧されると、突起がスイッチ本体内に入り込んで、スイッチ本体内において、前記一方のリード３ｂと導通している接点に接触して電池４ｂとＬＥＤとの間を導通せしめ、前記ボタンへの押圧が解消されると、突起が押し出されて電池とＬＥＤとの間の導通が解除、すなわち自動復帰されるようにしてある。
【００２４】
また、図６に示されるように照明スイッチ５の押ボタン５ａは、上部が巻尺８の上側のケース部材９ａに形成した開口９ｄから外部に臨むように取り付けてある。
【００２５】
前記ホルダ２の電池収納部４は、本体２上に形成した周回壁４ａにて囲まれており、この周回壁４ａ内にボタン電池（図示省略）を収容する。
この周回壁４ａの高さは、収容されるボタン電池の厚み（複数のボタン電池を直列に使用する場合にはその積重ね高さ）とほぼ同じ高さにしてあり、ボタン電池の半径方向の動きを規制する。
【００２６】
本実施例では電源用の電池にボタン電池を用いるため、電池収容部４をボタン電池の形状に合わせた円形に形成しているが、この電池収容部４を他の電池の形状に合わせてホルダ２上に形成できるのであれば、電源用の電池として小円柱形状のものや薄板形状のものを用いることもできる。
【００２７】
また、前記ホルダには、巻尺８のケース９内に立設されている軸１０の先端と嵌合する係合部たる軸嵌孔６と、下側のケース部材９ａに立設した雌ねじポスト１１に嵌合する係合部７を備えており、図４、図５に示されるように、軸嵌孔６を前記軸１０先端と嵌合させるとともに、係合部７を雌ねじポスト１１の外周に嵌合させることによって、照明ユニット１を巻尺８のケース９内に位置決めできるようにしてある。
【００２８】
なお前記雌ねじポスト１１は、上側ケース部材９ａにあけた孔９ｅ、９ｅを通してねじ１５、１５と係合するための構成としてある。
また、前記軸嵌孔６は軸と嵌合する係合部を構成することができる構造であれば軸嵌孔ではなく陥凹部で構成したり、円筒状の受け部としたりする場合もある。
【００２９】
前記軸１０まわりには、測定用の目盛り（図示省略）を表示した測長用テープ１３を捲回した回転ドラム１２を回転自在に設けてあって回転ドラムの片持ち軸を構成し、この回転ドラム１２の内部には、内端が軸に取り付けられ、外端が回転ドラムに固定されていて、上記テープ１３を巻き取り方向に付勢するコイルばね１４を設けてある。
【００３０】
すなわち、前記ホルダ２はその下面と、一方のケース部材９ａの内面とによって上記回転ドラム１２、テープ１３およびコイルばね１４の軸線方向の動きを規制するガイドとして機能し、巻尺の組み立ての際にはこれら回転ドラム１２、テープ１３およびコイルばね１４の押さえ部材としても機能する。
【００３１】
そして、テープ１３の先端にはフック１３ａが設けられていて、テープがケース９内に収容された状態においてはフック１３ａがケース９のテープ出入口９ｂに係止し、コイルばね１４による巻き取り方向に付勢されているテープ１３のケース９内への引き込みが防止される。
【００３２】
さらに、ケース９には照明ユニット１のＬＥＤ３ａが嵌着されるＬＥＤ嵌着部９ｃが設けられていて、ＬＥＤはこの嵌着部から外部に臨むようになっている。
なお、ＬＥＤの取り付け角度は、ＬＥＤからの光がケース９内から繰り出される測長用テー部１３の目盛を充分に照らし出すことができる方向に向かうように設定する。
【００３３】
また、上記ＬＥＤ３ａが、ＬＥＤ嵌着部９ｃに嵌着することによっても照明ユニット１の軸まわりの位置決めがなされ、ケース９内における照明ユニット１の回転方向の動きが規制される。
【図面の簡単な説明】
【００３４】
【図１】本発明に係る照明付き巻尺の実施例を示す分解斜視図。
【図２】照明ユニットの斜視図。
【図３】照明スイッチの一具体例の一部を切り欠いて示す正面図。
【図４】ケース内における照明ユニットの装着状態を示す斜視図。
【図５】図４の状態の照明ユニットからスイッチを持ち上げた状態の斜視図。
【図６】照明付き巻尺の実施例を示す斜視図。
【符号の説明】
【００３５】
１  照明ユニット
２  ホルダ
３  ＬＥＤ装着部
３ａ  ＬＥＤ
３ｂ、３ｃ  リード
４  電池収容部
４ａ  周回壁
４ｂ  ボタン電池
５  照明スイッチ
５ａ  押ボタン
５ｂ  スイッチ本体
６  軸嵌孔
７  係合部
８  巻尺
９  ケース
９ａ  ケース部材
９ｂ  テープ出入口
９ｃ  ＬＥＤ嵌着部
９ｄ  開口
１０  軸
１１  雌ねじポスト
１２  回転ドラム
１３  測長用テープ
１３ａ  フック
１４  コイルばね
１５  ねじ
【図１】
2007298353.tif 000003
【図２】
2007298353.tif 000004
【図３】
2007298353.tif 000005
【図４】
2007298353.tif 000006
【図５】
2007298353.tif 000007
【図６】
2007298353.tif 000008